(57)【特許請求の範囲】
【請求項１】
アダプター本体と、
壁等の固定対象に固定されると共に前記アダプター本体に回動自在に軸支された回動部と、
該回動部に設けられ、前記アダプター本体に向かった高さを有する第１のカム段部とそれより高い位置にある第２のカム段部とを有するカム部と、
前記アダプター本体に固定され、前記カム部の第１又は第２のカム段部が当接する当接凹部を有し、該当接凹部が前記第１のカム段部と第２のカム段部との高さの違いによって受ける押し上げによって前記アダプター本体に載置されたコードレス電話機を保持する方向に突出する爪部とを備え、
前記回動部を前記アダプター本体に対して回動させた際に、前記当接凹部に当接するカム部が前記第１のカム段部から前記第２のカム段部に移り、前記当接凹部を押し上げることを特徴とするコードレス電話機の壁掛けアダプター。
【発明の詳細な説明】
【０００１】
【産業上の利用分野】
本発明は、充電機能を有したアダプターに対し、コードレス電話器（子機）を壁掛け状態においてもリバーシブル（プッシュボタンが配設された面側を伏せた状態と仰向けとした状態）に載置できるコードレス電話機の壁掛けアダプターに関する。
【０００２】
【従来の技術】
コードレス電話機は、電話回線に取付けられる親機と、無線によって親機との通信を行う子機とから構成されている。
【０００３】
子機の駆動源としての二次電池としては、通常ニッカド電池が使用されており、子機が充電機能を有するアダプターに載置された状態で、後述する急速充電及びトリクル充電によりニッカド電池の補足分が補われるようになっている。
【０００４】
ところで、子機を保持するアダプターにあっては、卓上型と壁掛け型とがあり、壁掛け型の場合、たとえば図１に示すようなものがある。すなわち、アダプター１０の送話部装着孔１１の縁部にフック部材１２が着脱自在に取付けらけれており、フック部材１２の爪部１３を送話部装着孔１１の中心部側に向けた状態としておく。この状態で子機２０をアダプター１０に載置するとき、子機２０の送話部２１の縁部に設けられている係合孔２２に爪部１３を係合させることで、壁掛け状態であっても子機２０がアダプター１０に離脱することなく保持されるようになっている。
【０００５】
ちなみに、卓上型として使用する場合には、フック部材１２の爪部１３をアダプター１０内部に潜り込ませた状態とする。
【０００６】
【発明が解決しようとする課題】
ところが、上述した従来のアダプター１０は、子機２０の送話部２１及び受話部２３をアダプター１０側に伏せた状態で載置することを前提として構成されている。
【０００７】
このため、たとえば近年普及しているハンズフリー通話が可能な子機２０を、壁掛け状態で用いようとした場合、子機２０の送話部２１及び受話部２３を仰向け状態で載置する必要があるが、上述したように、アダプター１０は子機２０を伏せた状態で載置することを前提として構成されていることから、壁掛け状態での子機２０によるハンズフリー通話を行うことができないという不具合があった。
【０００８】
本発明は、このような事情に対処してなされたもので、アダプターに対してコードレス電話器（子機）をリバーシブル（プッシュボタンが配設された面側を伏せた状態と仰向けとした状態）に載置することもできるコードレス電話機の壁掛けアダプターを提供することを目的とする。
【０００９】
本発明は、上記目的を達成するため、コードレス電話機（子機）を載置するコードレス電話機の壁掛けアダプターであって、アダプター本体と、壁等の固定対象に固定されると共に前記アダプター本体に回動自在に軸支された回動部と、該回動部に設けられ、前記アダプター本体に向かった高さを有する第１のカム段部とそれより高い位置にある第２のカム段部とを有するカム部と、前記アダプター本体に固定され、前記カム部の第１又は第２のカム段部が当接する当接凹部を有し、該当接凹部が前記第１のカム段部と第２のカム段部との高さの違いによって受ける押し上げによって前記アダプター本体に載置されたコードレス電話機を保持する方向に突出する爪部とを備え、前記回動部を前記アダプター本体に対して回動させた際に、前記当接凹部に当接するカム部が前記第１のカム段部から前記第２のカム段部に移り、前記当接凹部を押し上げることを特徴とする。
【００１０】
【作用】
本発明のコードレス電話機の壁掛けアダプターでは、壁等の固定対象に固定される回動部をアダプター本体に対して回動すると、この回動部に設けられているカム部によって爪部がコードレス電話器を保持する方向に突出するよう押圧される。
【００１１】
したがって、コードレス電話機のコードレス電話器（子機）をアダプター本体に対して載置した際、コードレス電話器（子機）が爪部の押圧力によって保持されるので、アダプター本体に対してコードレス電話器（子機）を伏せた状態でも仰向けとした状態でも保持させることができる。
【００１２】
【実施例】
以下、本発明の実施例の詳細を図面に基づいて説明する。
【００１３】
図２は、本発明のコードレス電話機の壁掛けアダプターの一実施例を示すものである。
【００１４】
同図に示すように、壁掛けアダプター３０のアダプター本体３１には上本体３２及び下本体３３が設けられている。それぞれの上本体３２及び下本体３３には、後述する一体成形品であるフック部材５０の固定翼５１を挟持するためのリブ３４〜３７が固定翼５１の長手方向に対して直交する方向に突設されている。
【００１５】
ここで、アダプター本体３１に組み込まれる以前のフック部材５０は、図３及び図４に示すように、Ｕ字形状の回動部材５２を起立させた状態とするとともに、点接合部５９によって固定翼５１と連結部材５４とが連結された一体成形品である。具体的には、Ｕ字形状の回動部材５２の上端部に後述する子機７０を伏せた状態で係合保持するためのフック部材５３が設けられており、回動部材５２の下端部には、アダプター本体３１の上本体３２及び下本体３３の図示しない支持部に回動自在に支持される支持軸５５が設けられている。支持軸５５には、固定翼５１に対し点接合部５９を介して連結された連結部材５４が設けられており、フック部材５０がアダプター本体３１に取り付けられた際、その点接合部５９部分が切断され連結部材５４と固定翼５１とが分離されるようになっている。
【００１６】
固定翼５１の上部には、可撓片部５６、後述する回動部６０のカム部６４が当接する当接凹部５７及び後述する回動部６０の回動設定時にカム部６４によって子機７０を保持する方向に突出するよう押圧されるフック爪部５８が設けられている。
【００１７】
続いて、以上のような構成の壁掛けアダプター３０の組立方法を、図４乃至図６を用いて説明する。
【００１８】
まず、図３に示した状態に一体成形されたフック部材５０をアダプター本体３１に取り付ける際、図４に示すように、アダプター本体３１の上本体３２及び下本体３３の図示しない支持部に支持軸５５を回動自在に支持させ、更に上本体３２及び下本体３３のリブ３４〜３７間にフック部材５０の固定翼５１を挟んだ状態とし、上本体３２と下本体３３とを組み立てる。
【００１９】
このとき、支持軸５５の支持位置とリブ３４〜３７による固定翼５１の挟持位置との間隔が図３に示す組立前の状態の支持軸５５と固定翼５１との間隔より若干大きくされているため、固定翼５１は支持軸５５側に引っ張られ、下方に撓んだ状態でリブ３４〜３７間に挟持される。
【００２０】
リブ３４〜３７間への固定翼５１の挟持固定を終えた後、図５に示すように、連結部材５４と固定翼５１との点接合部５９を切り離すと、固定翼５１が自らの弾性力によって水平状態に復帰し、連結部材５４と固定翼５１とが分離される。この状態で、図６に示すように、フック部材５０の回動部材５２を支持軸５５を支点として押し倒す。
【００２１】
次に、このような構成の壁掛けアダプター３０の使用方法を、図７乃至図１０を用いて説明する。
【００２２】
まず、壁掛けアダプター３０をたとえば机上に置いた状態で使用するとき、図７に示すように、回動部６０を回動させず、そのままの状態としておく。この状態では、回動部６０のカム部６４のカム段部６３（第２のカム段部）より低い位置にあるカム段部６２（第１のカム段部）がフック部材５０の当接凹部５７に当接するが、この状態では図８に示すように、フック部材５０のフック爪部５８が子機７０の側部側に押圧されず離れた状態に位置している。
【００２３】
したがって、アダプター本体３１に対する子機７０の着脱の際には、フック部材５０のフック爪部５８に邪魔されることなく子機７０を着脱することができる。
【００２４】
一方、壁掛けアダプター３０を壁等に取付けて使用する場合には、図９に示すように、チェーン６５によって回動が規制されている角度まで回動部６０を軸６１を介して回動させ、この状態で回動部６０を壁等にたとえばネジ等によって固定する。
【００２５】
このとき、カム部６４の回動によりカム段部６２より高い位置にあるカム段部６３が当接凹部５７に当接し押し上げることにより、図１０に示すように、可撓片部５６が撓みフック爪部５８がアダプター本体３１の内側に押し付けられる。この状態で、子機７０をアダプター本体３１に装着すると、フック部材５０のフック爪部５８が子機７０の側部に圧接するため、たとえば子機７０のプッシュボタン側をアダプター本体３１に対して仰向けとした状態で押し込むと、子機７０の側部がフック爪部５８の圧接力によりアダプター本体３１に離脱することなく保持される。なお、ここで、子機７０のフック爪部５８が当接する部分にフック爪部５８が嵌り込む程度の窪みを設けてもよく、この場合にはフック爪部５８による保持がより確実に行われる。
【００２６】
アダプター本体３１から子機７０を取り外す場合には、フック爪部５８の圧接力に抗してアダプター本体３１から子機７０を引き抜くことにより、アダプター本体３１から子機７０を容易に取り外すことができる。
【００２７】
したがって、子機７０のプッシュボタン側をアダプター本体３１に対して伏せた状態で装着する場合も同様に、フック部材５０のフック爪部５８の圧接力により子機７０がアダプター本体３１に離脱することなく保持される。
【００２８】
このように、本実施例では、回動部６０を回動させてアダプター本体３１の壁掛け角度を設定すると、この回動部６０に設けられているカム部６４のカム段部６２より高い位置にあるカム段部６３が当接凹部５７に当接しフック爪部５８をアダプター本体３１の内側に押し付け、子機７０の側部に対して押圧力を与えるようにしたので、子機７０のプッシュボタン側をアダプター本体３１に対して仰向けとした状態でも伏せた状態でも装着することができ、子機７０による壁掛け状態でのハンズフリー通話が可能となる。
【００２９】
なお、ここで、子機に内蔵されている一般的な充電回路の構成を、図１３及び図１４を用いて説明する。
【００３０】
これらの図に示す充電回路には、急速充電機能、トリクル充電機能及び子機が待ち受け状態にあるとき負荷側に一定周期で電源供給を行う電源供給機能がもたされている。
【００３１】
すなわち、急速充電を行う場合には、トランジスタＱ１  のベースをＬとすることでトランジスタＱ１  をオンさせ、トリクル充電が行われる際には、トランジスタＱ１  のベースをＨとしトランジスタＱ１  をオフさせるようになっている。
【００３２】
ここで、トランジスタＱ１  ，Ｑ３  は、急速充電及びトリクル充電を切り換えるために設けられているものであり、そのオン／オフのタイミングは、子機の通話時間がＣＰＵで演算され、消費した電流分だけ急速充電されるように制御されている。また、トランジスタＱ２  ，Ｑ４  は、子機が待ち受け状態にあるとき負荷側に一定周期で電源供給を行うことにより、主として受信回路を作動させて親機からの呼び出し信号の有無を検出するために設けられているものであり、ある一定の周期でオン／オフが繰り返されることによって、負荷回路８１に間欠的に電源供給が行われるようになっている。
【００３３】
そこで、定電流電圧源から流れ込む電流をＩ、二次電池８０に流れ込む電流をｉ、負荷回路８１によって消費される電流をＩｒｆとし、負荷回路８１へのデューティを仮に１／２とすると、平均消費電流は
（１／２）・Ｉｒｆ
となり、
二次電池８０への急速充電時における充電電流ｉは、
ｉ＝Ｉ−（１／２）・Ｉｒｆ
となる。
【００３４】
一方、トリクル充電時においては、定電流電圧源の電圧をＶ、二次電池８０の電圧をｖとしたとき、定電流電圧源から流れ込む電流はＩｔ  となり、
Ｉｔ  ＝（Ｖ−ｖ）／Ｒ・・・▲１▼
となる。
【００３５】
ここで、上記同様に、二次電池８０に流れ込む電流をｉ、負荷回路８１によって消費される電流をＩｒｆとし、負荷回路８１へのデューティを仮に１／２とすると、平均消費電流は
（１／２）・Ｉｒｆ
となり、
二次電池８０への充電電流ｉは、
ｉ＝Ｉｔ  −（１／２）・Ｉｒｆ・・・▲２▼
となる。
▲２▼式に▲１▼式を代入すると、
ｉ＝（Ｖ−ｖ）／Ｒ−（１／２）・Ｉｒｆ＝Ｉ−ｉ−（１／２）・Ｉｒｆ
＝Ｉ−Ｉｒｆ
となる。
【００３６】
ところが、このような構成の充電回路では、急速充電機能、トリクル充電機能及び子機が待ち受け状態にあるとき負荷側に一定周期で電源供給を行う電源供給機能がそれぞれ個別に設けられた回路によって動作されるようになっているため、回路構成が複雑化してしまう等の不具合があり、これらの不具合を解消するための充電回路が望まれていた。
【００３７】
図１１は、このような不具合を解消した充電回路の一構成例を示すもので、子機７０に内蔵されている充電回路を示すものであり、充電可能なニッカド電池に代表される二次電池８０に対して、上述した急速充電とトリクル充電とを行う機能及び子機が待ち受け状態にあるとき負荷側に一定周期で電源供給を行う電源供給機能がもたされている。
【００３８】
ここで、通常、二次電池８０の容量が大幅に不足している場合、子機７０の使用を早めに可能とするために二次電池８０への充電電流を増やすことで急速充電が行われるが、急速充電が長時間にわたって続けられると、二次電池８０が過充電状態となり、サイクル寿命が短くされることから、満充電状態が検出されたとき、速やかに充電電流が下げられる（この状態をトリクル充電という）ようになっている。
【００３９】
すなわち、同図に示すように、図示省略の定電流源からの定電流がダイオードＤを経て電池８０及び負荷回路８１側に供給されるようになっており、電池８０に対して急速充電を行う場合には、図１２に示すように、間欠的にＣＰＵからのオンパルスによってトランジスタＱ４  のベースが“Ｌ”とされることにより、トランジスタＱ４  が非導通状態とされ、トランジスタＱ４  のコレクタ側に抵抗Ｒ３  を介して接続されているトランジスタＱ２  のベース側が“Ｈ”とされることにより、トランジスタＱ２  がオフされ、定電流源からの電流のすべてが電池８０に対して流れ急速充電が行われるようになっている。
【００４０】
また、子機７０が待ち受け状態にあるとき負荷回路８１側に一定周期で電源供給を行う電源供給機能にあっては、ＣＰＵからの間欠的なオンパルスによって動作するトランジスタＱ４  によって果たされる。
【００４１】
一方、トリクル充電時においては、トランジスタＱ２  のベース側が“Ｌ”とされることで、トランジスタＱ２  のオン状態が継続されることにより、電池８０に対してのトリクル充電が行われる。
【００４２】
すなわち、定電流源から流れ込む電流をＩとし、電池８０に流れ込む電流をｉとし、負荷回路８１によって消費される電流をＩｒｆとしたとき、負荷回路８１へのデューティを仮に１／２とすると、平均消費電流は
（１／２）・Ｉｒｆ
となり、
二次電池８０への充電電流ｉは、
ｉ＝Ｉ−（１／２）・Ｉｒｆ
となる。
【００４３】
一方、トリクル充電時においては、上記同様に、定電流源から流れ込む電流をＩとし、電池８０に流れ込む電流をｉとし、負荷回路８１によって消費される電流をＩｒｆとすると、二次電池８０への充電電流ｉは、
ｉ＝Ｉ−Ｉｒｆ
となる。
【００４４】
したがって、上述した一般の子機の充電回路の構成と本実施例における充電回路の構成との比較から明かな通り、何れの場合であっても二次電池８０に対する急速充電及びトリクル充電が同じ値で可能とされることから、急速充電機能及びトリクル充電機能及び子機が待ち受け状態にあるときの電源供給機能を一つの回路で達成することができ、本実施例の回路構成では部品点数が削減され回路の簡素化を図ることができる。また、トリクル充電中に負荷回路８１を常に受信状態とすることにより、親機からの電波の受信に対して速やかに応答することが可能となる。
【００４５】
【発明の効果】
以上説明したように、本発明のコードレス電話機の壁掛けアダプターによれば回動部を回動させてアダプター本体の壁掛け角度を設定すると、この回動部に設けられているカム部によって爪部がコードレス電話器を保持する方向に突出するよう押圧される。
【００４６】
したがって、コードレス電話機のコードレス電話器（子機）をアダプター本体に対して載置した際、コードレス電話器（子機）が爪部の押圧力によって保持されるので、アダプター本体に対してコードレス電話器（子機）を伏せた状態でも仰向けとした状態でも保持させることができる。
【図面の簡単な説明】
【図１】従来の子機を保持するアダプターを示す平面図である。
【図２】本発明のコードレス電話機の壁掛けアダプターの一実施例に係る要部を示す斜視図である。
【図３】図２のアダプター本体内部に配設されているフック部材を示す斜視図である。
【図４】図２のアダプター本体内部へのフック部材の取り付け状態を説明するための図である。
【図５】図２のアダプター本体内部へのフック部材の取り付け状態を説明するための図である。
【図６】図２のアダプター本体内部におけるフック部材の配設状態を示す斜視図である。
【図７】壁掛けアダプターの使用状態を説明するための側面図である。
【図８】図７の壁掛けアダプターのａ−ａ線断面図である。
【図９】壁掛けアダプターの使用状態を説明するための側面図である。
【図１０】図９の壁掛けアダプターのｂ−ｂ線断面図である。
【図１１】図２のアダプター本体内部に内蔵されている充電回路の構成を示す回路図である。
【図１２】図１１の充電回路の動作を説明するための波形図である。
【図１３】図１１の作用を説明するための充電回路を示す回路図である。
【図１４】図１３の充電回路の動作を説明するための波形図である。
【符号の説明】
３０  壁掛けアダプター
３１  アダプター本体
３２  上本体
３３  下本体
３４〜３７  リブ
５０  フック部材
５１  固定翼
５４  連結部材
５５  支持軸
５６  可撓片部
５７  当接凹部
６０  回動部
６４  カム部
【図１】
0003551326.tif 000002
【図２】
0003551326.tif 000003
【図３】
0003551326.tif 000004
【図４】
0003551326.tif 000005
【図５】
0003551326.tif 000006
【図６】
0003551326.tif 000007
【図７】
0003551326.tif 000008
【図８】
0003551326.tif 000009
【図９】
0003551326.tif 000010
【図１０】
0003551326.tif 000011
【図１１】
0003551326.tif 000012
【図１２】
0003551326.tif 000013
【図１３】
0003551326.tif 000014
【図１４】
0003551326.tif 000015